(57)【要約】【課題】画像形成装置において、スキャンユニットをフレームに対し適正な取り付け姿勢で容易に取り付け可能にし、記録紙に正常に画像形成可能にする。【解決手段】スキャンユニットのユニットハウジング５０は、その３箇所の締結部５５にて、ねじ６０を用いてフレーム１５０に取り付けられている。締結部５５には、長穴５５ａの両側に保持孔５５ｂが形成されている。締結部５５のフレーム１５０側には保持孔５５ｂに係合可能な支持爪５６ｃを有する座金５６が取り付けられている。座金５６の当接部５６ａとユニットハウジング５０との間には、必要に応じて、スペーサ５７が挿入される。スペーサ５７の有無や、厚み等の変更により、スキャンユニットのフレーム１５０への取り付け姿勢を微調整可能である。座金５６は保持孔５５ｂに支持爪５６ｃが係合した状態でユニットハウジング５０に保持されるので、スキャンユニットの取付作業が容易になる。【選択図】図３
2007286275.tif 000002
【特許請求の範囲】
【請求項１】
筐体と、
筐体内部に設けられた金属製のフレームと、
筐体に取り付けられ、記録紙が載置される給紙トレイと、
この給紙トレイに載置された記録紙を筐体内部に搬送する記録紙搬送機構と、
筐体内部に配され、この記録紙搬送機構により搬送された記録紙に画像を形成する画像形成部とを備え、
前記画像形成部は、
記録紙の搬送方向と略直交する主走査方向が長手方向となるように配され、表面に感光体層が形成された感光体ドラムと、
前記感光体ドラムの表面を略均一に帯電させる帯電手段と、
前記感光体ドラムの表面にレーザビームを走査させながら照射して潜像を形成するスキャンユニットと、
前記感光体ドラムの表面のうち潜像が形成された部分にトナーを付着させてトナー像を形成する現像装置と、
前記感光体ドラムの回転方向の前記現像装置よりも下流側の所定の転写位置において、前記感光体ドラムの表面に対向するように設けられ、前記感光体ドラムの表面に形成されたトナー像を記録紙上に転写させる転写ローラと、
トナー像が転写された記録紙に所定の熱及び圧力を与えてトナー像を記録紙上に定着させる定着ローラとを有しており、
前記スキャンユニットは、樹脂製のユニットハウジングの内部に、レーザビームを出射する光源と、この光源から出射されたレーザビームを主走査方向に走査するように反射させるポリゴンミラーと、このポリゴンミラーによって反射されたレーザビームを前記感光体ドラムの表面に向けて反射するミラー部材とを有しており、前記ユニットハウジングが、ユニットハウジングのフランジ部に設けられた少なくとも３箇所の締結部で前記フレームにねじ止めされて前記筐体内部に固定されている画像形成装置において、
前記ユニットハウジングの各締結部には、ユニットハウジングを前記フレームに締結するためのねじが貫通する長穴と、前記長穴の両側部で、かつ長穴とは離れた位置に前記フランジ部を貫通するように形成された、長穴よりも小さい保持孔が形成されており、
金属板で形成され、前記ユニットハウジングの前記長穴よりも大きい長丸形状の当接部と、この当接部に前記長穴と略同形状に形成された長穴と、前記当接部の側端部から当接部に対し略垂直に折れ曲がるように、前記保持孔を貫通可能な形状に延設された支持爪と、この支持爪の端部近傍に、支持爪の外側面から外側に突設するように形成された抜け止め突起部とを有する座金をさらに備え、
前記座金は、前記ユニットハウジングの、前記フレームに当接される側となる一面側に、前記支持爪が前記保持孔に挿嵌されて前記抜け止め突起が保持孔を貫通するように、前記長穴が前記ユニットハウジングの長穴と略一致するように取り付けられ、前記ユニットハウジングとフレームとの間で挟まれた状態で配置されており、
組み立て時に、必要に応じて、略同一形状で厚みのみ異なる複数種類の中から選択された１又は２以上のスペーサを、前記座金と前記ユニットハウジングとの間に、当接部の長穴と前記長穴とが互いに略一致するように配置可能であり、前記フレームへの前記スキャンユニットの取り付け姿勢を微調整することにより、前記感光体ドラムに適正な潜像を形成して記録紙に正常に画像形成することが可能であり、
前記スペーサは、長丸形状の平板で前記座金の長穴と略同形状に形成された長穴を有し、長丸形状の両側縁から各側方に延設され、前記座金の支持爪を挟むように嵌装可能な切り欠きが設けられた係合部を有しており、前記座金が前記ユニットハウジングに取り付けられていないときに、前記係合部の切り欠きに前記支持爪が嵌装され、前記座金とユニットハウジングとの間に挟まれるように、前記座金と共にユニットハウジングに取り付け可能であり、前記スキャンユニットをフレームにねじ止めするときに前記座金とユニットハウジングとの間から脱落しないように配置可能に構成されていることを特徴とする画像形成装置。
【請求項２】
筐体と、
筐体内部に設けられたフレームと、
筐体に取り付けられ、記録紙が載置される給紙トレイと、
この給紙トレイに載置された記録紙を筐体内部に搬送する記録紙搬送機構と、
筐体内部に配され、この記録紙搬送機構により搬送された記録紙に画像を形成する画像形成部とを備え、
前記画像形成部は、
記録紙の搬送方向と略直交する主走査方向が長手方向となるように配され、表面に感光体層が形成された感光体ドラムと、
前記感光体ドラムの表面を略均一に帯電させる帯電手段と、
前記感光体ドラムの表面にレーザビームを走査させながら照射して潜像を形成するスキャンユニットと、
前記感光体ドラムの表面のうち潜像が形成された部分にトナーを付着させてトナー像を形成する現像装置と、
前記感光体ドラムの回転方向の前記現像装置よりも下流側の所定の転写位置において、前記感光体ドラムの表面に対向するように設けられ、前記感光体ドラムの表面に形成されたトナー像を記録紙上に転写させる転写ローラと、
トナー像が転写された記録紙に所定の熱及び圧力を与えてトナー像を記録紙上に定着させる定着ローラとを有しており、
前記スキャンユニットは、ユニットハウジングの内部に、レーザビームを主走査方向に走査させて照射する照射部を有しており、前記ユニットハウジングが前記フレームにねじ止めされて筐体内部に固定されている画像形成装置において、
前記ユニットハウジング又は前記フレームに、前記ユニットハウジングとフレームとの間に挟まれる調整部材を配置可能であり、
前記ユニットハウジング又は前記フレームの、前記調整部材が配置される部位には、前記調整部材が係合可能な被係合部が形成されていることを特徴とする画像形成装置。
【請求項３】
前記調整部材は、前記被係合部に係合して前記ユニットハウジング又は前記フレームに取り付けられた座金と、必要に応じて、前記座金が取り付けられる部位と前記座金との間に挿入される板状部材のスペーサとを組み合わせて構成されていることを特徴とする請求項２に記載の画像形成装置。
【請求項４】
前記スペーサは、前記座金に対しずれないように位置決めされる位置決め部を有しており、前記位置決め部により前記座金に位置決めされた状態で配置可能に構成されていることを特徴とする請求項３に記載の画像形成装置。
【発明の詳細な説明】
【技術分野】
【０００１】
本発明は、感光体ドラムの表面にレーザビームを走査させながら照射して潜像を形成するレーザビームプリンタ等の画像形成装置に関するものである。
【背景技術】
【０００２】
一般に、レーザビーム方式の画像形成装置においては、フレームに取り付けられたレーザスキャンユニット（以下、スキャンユニットと称する）から主走査方向にレーザビームを走査して、感光体ドラム上に潜像を形成する。このスキャンユニットには、光源部の位置やポリゴンミラー等を駆動するモータの取り付け位置、またこれらを収納するハウジングの精度等に起因して、感光体ドラムに走査したレーザビームの照射位置にずれが生じている可能性がある。また、画像形成装置のフレームの製造誤差等が原因となり、フレームにスキャンユニットを直接取り付けた状態でのスキャンユニットと感光体ドラムとの位置関係が適正ではない場合がありうる。例えば、上述のようなずれや誤差等により、レーザビームが感光体ドラムの回転軸に対して斜めに走査したり、走査線の位置が主走査方向に直交する副走査方向にずれたりすると、感光体ドラム上に潜像が適正に形成されず、記録紙に所望の画像を適正に形成することができなくなってしまう。記録紙に正常に画像を形成するためには、感光体ドラムに対するスキャンユニットの姿勢が適正でなければならないため、スキャンユニットのフレームへの取り付け姿勢を適正に調整する必要がある。
【０００３】
画像形成装置のフレームにスキャンユニットを取り付けるために、従来より、種々の機構が提案されている。例えば、スキャンユニットをフレームにねじ止めする締結部において、ねじの貫通孔を長穴状等にすることにより、スキャンユニットの位置を、複数の締結部で構成される平面方向に微調整可能に構成されたものがある。このような画像形成装置においては、スキャンユニットの取り付け姿勢を平面上で変更することにより、感光体ドラムに照射するレーザビームの主走査方向の位置等を調整可能である。しかし、このような画像形成装置では、スキャンユニット自体のフレームへの傾きを自在には調整することができないため、例えば感光体ドラムに照射するレーザビームの副走査方向のずれ等を調整することができないという問題がある。
【０００４】
また、特許文献１には、光学ユニットのハウジングを主走査方向と平行な回動軸で支持し、調整部のスペーサの厚みを変更することによって装置本体に対するハウジングの傾きを調整し、面倒れ補正の最適位置の調整を容易に可能にした画像形成装置が記載されている。しかしながら、この画像形成装置では、光学ユニットを支持するために回動部を設ける必要があり、光学ユニットを取り付けるための機構が複雑になってしまい、製造コストが高くなってしまうという問題がある。
【０００５】
さらに、特許文献２には、リング状弾性部材を用いて、スキャンユニット内部のポリゴンミラーに振動が加わったときにも副走査方向の走査線のずれを防ぐように構成されたスキャンユニットが記載されている。さらにまた、特許文献３には、スキャンユニット内部のシリンドリカルレンズの位置を移動させることにより、副走査方向のピッチ調整を容易に実行可能に構成された画像形成装置が記載されている。しかしながら、これらの特許文献２及び特許文献３はスキャンユニット内部の機構を変更して適性に画像形成を実行可能にするものであり、フレームにスキャンユニットを適正な姿勢で取り付け可能であるものではない。
【特許文献１】特開平３−７５７２０号公報
【特許文献２】特開平９−１１３８３３号公報
【特許文献３】特開平８−６９１６１号公報
【発明の開示】
【発明が解決しようとする課題】
【０００６】
本発明は、上記問題点を鑑みてなされたものであり、スキャンユニットをフレームに適正な取り付け姿勢で容易に取り付けることが可能であり、記録紙に正常に画像を形成することができる画像形成装置を提供することを目的とする。
【課題を解決するための手段】
【０００７】
上記目的を達成するため請求項１の発明は、筐体と、筐体内部に設けられた金属製のフレームと、筐体に取り付けられ、記録紙が載置される給紙トレイと、この給紙トレイに載置された記録紙を筐体内部に搬送する記録紙搬送機構と、筐体内部に配され、この記録紙搬送機構により搬送された記録紙に画像を形成する画像形成部とを備え、前記画像形成部は、記録紙の搬送方向と略直交する主走査方向が長手方向となるように配され、表面に感光体層が形成された感光体ドラムと、前記感光体ドラムの表面を略均一に帯電させる帯電手段と、前記感光体ドラムの表面にレーザビームを走査させながら照射して潜像を形成するスキャンユニットと、前記感光体ドラムの表面のうち潜像が形成された部分にトナーを付着させてトナー像を形成する現像装置と、前記感光体ドラムの回転方向の前記現像装置よりも下流側の所定の転写位置において、前記感光体ドラムの表面に対向するように設けられ、前記感光体ドラムの表面に形成されたトナー像を記録紙上に転写させる転写ローラと、トナー像が転写された記録紙に所定の熱及び圧力を与えてトナー像を記録紙上に定着させる定着ローラとを有しており、前記スキャンユニットは、樹脂製のユニットハウジングの内部に、レーザビームを出射する光源と、この光源から出射されたレーザビームを主走査方向に走査するように反射させるポリゴンミラーと、このポリゴンミラーによって反射されたレーザビームを前記感光体ドラムの表面に向けて反射するミラー部材とを有しており、前記ユニットハウジングが、ユニットハウジングのフランジ部に設けられた少なくとも３箇所の締結部で前記フレームにねじ止めされて前記筐体内部に固定されている画像形成装置において、前記ユニットハウジングの各締結部には、ユニットハウジングを前記フレームに締結するためのねじが貫通する長穴と、前記長穴の両側部で、かつ長穴とは離れた位置に前記フランジ部を貫通するように形成された、長穴よりも小さい保持孔が形成されており、金属板で形成され、前記ユニットハウジングの前記長穴よりも大きい長丸形状の当接部と、この当接部に前記長穴と略同形状に形成された長穴と、前記当接部の側端部から当接部に対し略垂直に折れ曲がるように、前記保持孔を貫通可能な形状に延設された支持爪と、この支持爪の端部近傍に、支持爪の外側面から外側に突設するように形成された抜け止め突起部とを有する座金をさらに備え、前記座金は、前記ユニットハウジングの、前記フレームに当接される側となる一面側に、前記支持爪が前記保持孔に挿嵌されて前記抜け止め突起が保持孔を貫通するように、前記長穴が前記ユニットハウジングの長穴と略一致するように取り付けられ、前記ユニットハウジングとフレームとの間で挟まれた状態で配置されており、組み立て時に、必要に応じて、略同一形状で厚みのみ異なる複数種類の中から選択された１又は２以上のスペーサを、前記座金と前記ユニットハウジングとの間に、当接部の長穴と前記長穴とが互いに略一致するように配置可能であり、前記フレームへの前記スキャンユニットの取り付け姿勢を微調整することにより、前記感光体ドラムに適正な潜像を形成して記録紙に正常に画像形成することが可能であり、前記スペーサは、長丸形状の平板で前記座金の長穴と略同形状に形成された長穴を有し、長丸形状の両側縁から各側方に延設され、前記座金の支持爪を挟むように嵌装可能な切り欠きが設けられた係合部を有しており、前記座金が前記ユニットハウジングに取り付けられていないときに、前記係合部の切り欠きに前記支持爪が嵌装され、前記座金とユニットハウジングとの間に挟まれるように、前記座金と共にユニットハウジングに取り付け可能であり、前記スキャンユニットをフレームにねじ止めするときに前記座金とユニットハウジングとの間から脱落しないように配置可能に構成されているものである。
【０００８】
請求項２の発明は、筐体と、筐体内部に設けられたフレームと、筐体に取り付けられ、記録紙が載置される給紙トレイと、この給紙トレイに載置された記録紙を筐体内部に搬送する記録紙搬送機構と、筐体内部に配され、この記録紙搬送機構により搬送された記録紙に画像を形成する画像形成部とを備え、前記画像形成部は、記録紙の搬送方向と略直交する主走査方向が長手方向となるように配され、表面に感光体層が形成された感光体ドラムと、前記感光体ドラムの表面を略均一に帯電させる帯電手段と、前記感光体ドラムの表面にレーザビームを走査させながら照射して潜像を形成するスキャンユニットと、前記感光体ドラムの表面のうち潜像が形成された部分にトナーを付着させてトナー像を形成する現像装置と、前記感光体ドラムの回転方向の前記現像装置よりも下流側の所定の転写位置において、前記感光体ドラムの表面に対向するように設けられ、前記感光体ドラムの表面に形成されたトナー像を記録紙上に転写させる転写ローラと、トナー像が転写された記録紙に所定の熱及び圧力を与えてトナー像を記録紙上に定着させる定着ローラとを有しており、前記スキャンユニットは、ユニットハウジングの内部に、レーザビームを主走査方向に走査させて照射する照射部を有しており、前記ユニットハウジングが前記フレームにねじ止めされて筐体内部に固定されている画像形成装置において、前記ユニットハウジング又は前記フレームに、前記ユニットハウジングとフレームとの間に挟まれる調整部材を配置可能であり、前記ユニットハウジング又は前記フレームの、前記調整部材が配置される部位には、前記調整部材が係合可能な被係合部が形成されているものである。
【０００９】
請求項３の発明は、請求項２の発明において、前記調整部材は、前記被係合部に係合して前記ユニットハウジング又は前記フレームに取り付けられた座金と、必要に応じて、前記座金が取り付けられる部位と前記座金との間に挿入される板状部材のスペーサとを組み合わせて構成されているものである。
【００１０】
請求項４の発明は、請求項３の発明において、前記スペーサは、前記座金に対しずれないように位置決めされる位置決め部を有しており、前記位置決め部により前記座金に位置決めされた状態で配置可能に構成されているものである。
【発明の効果】
【００１１】
請求項１の発明によれば、スキャンユニットのユニットハウジングに座金が取り付けられており、この座金とユニットハウジングとの間にスペーサを挿入することにより、スキャンユニットのフレームへの取り付け姿勢を微調整可能である。従って、スキャンユニットのフレームへの取り付け姿勢を容易に微調整することが可能であり、レーザビームの走査線を感光体ドラムの回転軸に平行で、かつ副走査方向における正しい位置に調整することができる。その結果、感光体ドラムに適正な潜像を形成して記録紙に正常に画像を形成することが可能になる。また、座金は、支持爪が保持孔に挿嵌され、抜け止め突起が保持孔を貫通した状態に配置可能であるので、座金をユニットハウジングに脱落しないように取り付けた状態で、より容易にフレームにスキャンユニットを取り付けることができる。さらにまた、座金とスペーサとが別部材であり、平板で安価に製造可能なスペーサを用いて、調整部材の厚みを種々設定することが可能であるので、製造コストを低減することが可能になる。そして、座金とユニットハウジングとの間に挿入されるスペーサは、係合部の切り欠きに座金の支持爪が嵌装された状態で配される。従って、スペーサが座金とユニットハウジングとの間から脱落することがなくなり、より容易にスキャンユニットの取り付け作業を行うことが可能になる。
【００１２】
請求項２の発明によれば、スキャンユニットのユニットハウジング又はフレームに、ユニットハウジングとフレームとの間に挟まれる調整部材を配置可能であるので、調整部材の配置の有無や調整部材の厚み等を変更することにより、スキャンユニットのフレームへの取り付け姿勢を微調整することが可能である。また、ユニットハウジング又はフレームの調整部材が配置される部位には、調整部材が係合可能な被係合部が形成されているので、調整部材を被係合部に係合させてユニットハウジングとフレームのいずれかに保持させた状態にすることにより、フレームにスキャンユニットを取り付ける作業が容易になる。従って、スキャンユニットのフレームへの取り付け姿勢を容易に微調整することが可能であり、感光体ドラムに適正な潜像を形成して記録紙に正常に画像を形成することが可能になる。
【００１３】
請求項３の発明によれば、調整部材は、座金と板状部材のスペーサとで構成されており、座金と座金が取り付けられる部位との間にスペーサを配置することにより厚み変更可能であるので、調整部材の厚みを容易に変更することが可能であり、スキャンユニットのフレームへの取り付け姿勢を微調整することがより容易となる。また、座金とスペーサとが別部材であり、板状部材で安価に製造可能なスペーサを用いて調整部材の厚みを種々設定することが可能であるので、製造コストを低減することが可能になる。
【００１４】
請求項４の発明によれば、スペーサが、位置決め部により、座金に対しずれないように位置決めされた状態で配置可能であるので、スキャンユニットの取り付け時にスペーサが脱落してしまうことがなくなり、より容易に取り付け作業を行うことが可能になる。
【発明を実施するための最良の形態】
【００１５】
以下、本発明の一実施形態について図面を参照して説明する。図１は、本実施形態に係る画像形成装置を示す。この画像形成装置１は、いわゆるレーザビームプリンタであって、例えば外部のパーソナルコンピュータ等と接続され、このパーソナルコンピュータ等から送られた画像データに基いて、電子写真方式で記録紙Ｐに画像を形成する。画像形成装置１は、筐体１００の下部に配置され記録紙Ｐが略水平に載置される給紙カセット（給紙トレイ）１１０と、筐体１００の上部に設けられ筐体１００内から排出された記録紙Ｐが載置される排紙部１２０と、給紙カセット１１０に装填された記録紙Ｐを筐体１００内部に搬送する記録紙搬送機構２０と、記録紙搬送機構２０により搬送された記録紙Ｐに電子画像を形成する画像形成部１０とを備えている。給紙カセット１１０は、筐体１００に対し引き出し自在に設けられている。給紙カセット１１０を筐体１００から引き出すことにより、記録紙Ｐを装填して載置可能になるように構成されている。なお、記録紙Ｐは、筐体１００に固定された給紙トレイに、外部から差し込むようにして載置可能に構成されていてもよい。
【００１６】
記録紙搬送機構２０は、給紙カセット１１０の上方に配置されているピックアップローラ２１と、筐体１００の内部で記録紙Ｐを搬送する搬送ローラ２２と、これらのローラを駆動するモータ（図示せず）等で構成されている。ピックアップローラ２１は、給紙カセット１１０に載置された記録紙Ｐのうち最も上方のものに当接して回動することにより、その記録紙Ｐを筐体１００前方の記録紙ガイド１５に沿って筐体１００内部に向け給紙する。そして、給紙された記録紙Ｐは、搬送ローラ２２により画像形成部１０に搬送され、後述するように画像が形成された後、排紙部１２０上に排出される。
【００１７】
画像形成部１０は、表面に感光体層が形成された感光体ドラム２、クリーナ３、帯電器（帯電手段）４、スキャンユニット５、現像ブラシ（現像装置）６、転写ローラ７、転写ローラ７に対して記録紙Ｐの搬送方向の下流側に配置されている定着ローラ８等によって構成されている。これらの感光体ドラム２やローラ等は、記録紙Ｐの搬送方向と略直交する主走査方向が長手方向となるように配されている。
【００１８】
クリーナ３は、感光体ドラム２の表面に付着している１行程（１回転）前のトナー及び紙粉を除去し、ドラム表面を清掃する。帯電器４は、クリーナ３によって清掃された感光体ドラム２の表面を均一に帯電させる。スキャンユニット５は、後述するように、帯電器４によって帯電された感光体ドラム２の表面にレーザビームＬを走査させながら照射してドラム表面上に潜像を形成する。なお、スキャンユニット５は、電源装置（図示せず）によって給電されており、レーザビームＬを発光するための駆動電圧が印加される。現像ブラシ６は、トナーが充填されたトナーカートリッジ６ａに装着されており、感光体ドラム２の表面のうち潜像が形成された部分にトナーを付着させてトナー像を形成する。転写ローラ７は、感光体ドラム２の回転方向の現像ブラシ６よりも下流側の所定の転写位置において感光体ドラム２の表面に対向するように設けられている。転写ローラ７は、記録紙Ｐを感光体ドラム２の表面に押圧しながら記録紙Ｐの表面を帯電させて、感光体ドラム２の表面に形成されたトナー像を記録紙Ｐの上に転写させる。転写ローラ７には、記録紙Ｐの表面を帯電させるための転写電圧が電源装置より印加される。転写ローラ７によって表面に画像が形成された記録紙Ｐは、定着ローラ８に搬送される。定着ローラ８は、対向して配置された押圧ローラ８ａとの間に記録紙Ｐを挟みつつ熱と圧力を加えてトナーを定着させる。トナー定着のための熱は、定着ローラ８に内蔵されているヒータ（例えば、ハロゲンランプ等）から供給される。ヒータには、電源装置(図示せず)によって発生された定着電圧が印加される。
【００１９】
図２は、この画像形成装置１のスキャンユニット５を示す。スキャンユニット５は、樹脂製のユニットハウジング５０の内部に、レーザビームを主走査方向に走査させて照射する照射部５１が配されているものである。照射部５１は、レーザビームＬを出力する半導体レーザ（光源）５ａと、半導体レーザ５ａから出力されたレーザビームＬを反射するポリゴンミラー５ｂと、ポリゴンミラー５ｂにより反射されたレーザビームＬの反射角度に応じて収差を補正するｆθレンズ５ｃと、ｆθレンズ５ｃを通過したレーザビームＬをユニットハウジング５０の外部に向け反射するミラー部材５ｄ等で構成されている。スキャンユニット５は、ねじ６０を用いて、ユニットハウジング５０のフランジ部に設けられた３箇所の締結部５５において筐体１００の内部に設けられた金属製のフレーム（図３参照）１５０にねじ止めされ、筐体１００内部に固定されている。本実施形態において、３箇所の締結部５５は、フレーム１５０に対し略水平面を構成するように配置されている。ユニットハウジング５０には、レーザビームＬが外部に放射される放射口５０ａが形成されている。スキャンユニット５は、主走査方向（図の矢印Ａ方向）に沿って配された感光体ドラム２が放射口５０ａの下方に位置するように配置されている。なお、図の矢印Ｂは、記録紙Ｐの搬送方向を示す。
【００２０】
ポリゴンミラー５ｂは、図の矢印Ｍで示すようにモータ（図示せず）に駆動され回動するように構成されている。ポリゴンミラー５ｂが回動しながらレーザビームＬを反射することにより、レーザビームＬが主走査方向（図の矢印Ａ方向）に走査される。このレーザビームＬは、図に示すように、ｆθレンズ５ｃを介してミラー部材５ｄにより反射されて感光体ドラム２上を主走査方向に走査され、ドラム表面の感光体に照射される。感光体ドラム２は、例えば図の矢印Ｒで示すように回動する。すなわち、レーザビームＬが主走査方向に走査されながら感光体ドラム２が回動することにより、感光体ドラム２の表面に、記録紙Ｐに形成する画像に対応するように潜像が形成されるように構成されている。
【００２１】
ここで、この画像形成装置１は、記録紙Ｐに適正に画像形成することができるように、スキャンユニット５の筐体１００のフレーム１５０への取り付け姿勢を微調整可能に構成されている。次に、これについて次に説明する。
【００２２】
図３及び図４（ａ）、（ｂ）は、スキャンユニット５のユニットハウジング５０の、フレーム１５０に取り付けられる３箇所の締結部５５のうちの１箇所の近傍の構成を示す。ユニットハウジング５０は、図に示すようにフレーム１５０から延設されたステー１５１のねじ孔１５２にねじ６０が螺結されることによりフレーム１５０に固定されている。ユニットハウジング５０の各締結部５５には、ねじ６０が貫通可能な長穴５５ａと、長穴５５ａよりも小さい矩形形状の貫通孔である保持孔（被係合部）５５ｂとが形成されている。保持孔５５ｂは、図３に示すように、長穴５５ａの両側部に、長穴５５ａとは離れた位置に形成されている。本実施形態においては、各締結部５５のねじ６０が貫通する孔部が長穴形状となっているので、スキャンユニット５をフレーム１５０に取り付ける際に、スキャンユニット５の位置を、３箇所の締結部５５で構成される面に平行な方向に、微調整可能になるように構成されている。
【００２３】
図３及び図４（ａ）、（ｂ）に示すように、ユニットハウジング５０は、締結部５５の下方に座金５６とスペーサ５７とを配置した状態で、座金５６とスペーサ５７とを締結部５５とステー１５１とで挟むようにしてフレーム１５０に固定されている。座金５６は、長穴５５ａよりも大きい長丸形状の当接部５６ａと、この当接部５６ａに長穴と略同形状に形成された長穴５６ｂと、当接部５６ａの側端部から当接部５６ａに対し略垂直に折れ曲がるように延設された支持爪５６ｃとを有している。支持爪５６ｃは、保持孔５５ｂを貫通可能な幅に形成されており、この支持爪５６ｃの端部近傍には、支持爪５６ｃ外側面から外側に突設するように形成された抜け止め突起５６ｄが設けられている。本実施形態において、座金５６は、例えば厚みが０．５ｍｍ程度の金属板により形成されており、当接部５６ａの厚みが０．５ｍｍ程度になっている。
【００２４】
一方、スペーサ５７は、長丸形状の平板であり、座金５６の長穴５６ｂと略同形状に形成された長穴５７ｂを有している。図３に示すように、スペーサの長丸形状の両側縁には、各側方に向けて係合部（位置決め部）５７ｃが延設されている。この係合部５７ｃには、座金５６の支持爪５６ｃより大きな幅の切り欠き５７ｄが形成されている。本実施形態において、スペーサ５７は、例えば厚みが０．３ｍｍ、０．４ｍｍ、０．５ｍｍ・・・等０．１ｍｍごとに厚みが異なる複数種類の金属板により形成されたものが用いられる。なお、スペーサ５７及び座金５６の厚みや、厚みの種類数等は、これに限られるものではない。
【００２５】
本実施形態において、座金５６及びスペーサ５７は、ユニットハウジング５０をフレーム１５０に取り付ける前に締結部５５に取り付けられる。すなわち、先ず、図３に示すように、スペーサ５７の係合部５７ｃの切り欠き５７ｄに支持爪５６ｃを挟むように嵌装した状態で、スペーサ５７を、当接部５６ａの長穴５６ｂとスペーサ５７の長穴５７ｂとが互いに略一致するように、座金５６の当接部５６ａ上に配置する。そして、これらの長穴５６ｂ及び５７と、ユニットハウジング５０の長穴５５ａとが略一致するようにして、座金５６とユニットハウジング５０との間にスペーサ５７が挟まれるように、座金５６とスペーサ５７とがユニットハウジング５０に配置される。このとき、座金５６は、支持爪５６ｃが保持孔５５ｂに挿嵌されて、抜け止め突起５６ｄが保持孔５５ｂを貫通するようにして取り付けられている。
【００２６】
図５（ａ）、（ｂ）は、ユニットハウジング５０に座金５６とスペーサ５７とを取り付けた状態を示す。上述したように、座金５６がユニットハウジング５０に取り付けられている状態では、図に示すように、抜け止め突起５６ｄが保持孔５５ｂの縁部に引っ掛かかった状態となる。すなわち、座金５６は、ユニットハウジング５０に保持され、支え等がなくてもユニットハウジング５０から脱落することがないように構成されている。また、このとき、図に示すように、スペーサ５７の係合部５７ｃの切り欠き５７ｄに支持爪５６ｃが挟まれているので、支持爪５６ｃが保持孔５５ｂに挿嵌されているときには、スペーサ５７がユニットハウジング５０と座金５６との間から脱落することが内容に構成されている。このように、ユニットハウジング５０に座金５６とスペーサ５７とを取り付けた状態でスキャンユニット５をステー１５１上に配置して、ねじ６０を長穴５５ａを貫通してねじ孔１５２に螺結することにより、スキャンユニット５が筐体１００の内部に固定される。このように締結部５５に座金５６とスペーサ５７とが配置されることにより、その締結部５５において、スキャンユニット５は、座金５６とスペーサ５７との厚み分だけオフセットした位置に固定されることになる。
【００２７】
ここで、本実施形態において、フレーム１５０へのスキャンユニット５の取り付け姿勢の微調整は、座金５６とユニットハウジング５０との間に挟まれるように配置されたスペーサ５７の厚み及び／又は枚数を変更することにより行われる。スペーサ５７の厚みの変更は、ユニットハウジング５０とステー１５１とを螺結するねじ６０を取り外して、座金５６を締結部５５から取り外して行われる。このとき、座金５６は、支持爪５６ｃが撓んで抜け止め突起５６ｄと保持孔５５ｂの縁部との係合が解除されて、支持爪５６ｃが保持孔５５ｂから引き抜かれるようにして取り外される。そして、変更するスペーサ５７が上述のように当接部５６ａ上に配された状態で、座金５６と共にユニットハウジング５０に取り付けられて脱落しないようにされた後、再びねじ６０によりスキャンユニット５がフレーム１５０に固定される。このようなスペーサ５７の厚みの変更を、３箇所の締結部５５それぞれにて行うことにより、フレーム１５０へのスキャンユニット５の取り付け姿勢を、上述の３箇所の締結部５５により構成される面に対して平行でない角度にも微調整することが可能になる。なお、スペーサ５７は、必ずしも取り付けられなくてもよい。
【００２８】
このように、本実施形態においては、３箇所の締結部５５のそれぞれにてスペーサ５７の厚み及び／又は枚数を変更し、スキャンユニット５のフレーム１５０への取り付け姿勢を、感光体ドラム２に対して適正になるように微調整可能であるので、スキャンユニット５から感光体ドラム２に適正な潜像を形成して記録紙Ｐに正常に画像を形成することが可能になる。また、座金５６は、抜け止め突起５６ｄが保持孔５５ｂを貫通した状態でユニットハウジング５０に配置可能であるので、座金５６をユニットハウジング５０に脱落しないように取り付けた状態で、容易にフレーム１５０にスキャンユニット５を取り付けることができる。さらにまた、調整部材を構成する座金５６とスペーサ５７とが別部材であり、平板状の部材で安価に製造可能なスペーサ５７を用いて調整部材の厚みを種々設定することが可能であるので、製造コストを低減することが可能になる。そして、座金５６とユニットハウジング５０との間に挿入されるスペーサ５７は、係合部５７ｃの切り欠き５７ｄに座金５６の支持爪５６ｃが嵌装された状態で配されるので、スペーサ５７が座金５６とユニットハウジング５０との間から脱落することがなくなり、より容易にスキャンユニット５の取り付け作業を行うことが可能になる。
【００２９】
なお、本発明は上記実施形態の構成に限定されるものではなく、発明の趣旨を変更しない範囲で適宜に種々の変形が可能である。例えば、座金５６及びスペーサ５７の形状や締結部５５の形状等はこれに限られるものではなく、例えば保持孔５５ｂがユニットハウジング５０のフランジ部を貫通しておらず、座金５６に設けられた板ばね状の支持爪が、その弾性力により保持孔５５ｂの内面に引っ掛かることにより座金５６が保持されるように構成されていてもよい。また、座金５６及びスペーサ５７に替えて、１種類又は２種類以上の異なる厚みの調整部材を配置可能に構成されていてもよい。また、座金５６とスペーサ５７が取り付けられる締結部は、ユニットハウジング５０ではなくフレーム１５０側に設けられており、フレーム１５０に座金５６とスペーサ５７が配された状態で、スキャンユニット５を取り付けるように構成されていてもよい。すなわち、ユニットハウジング５０又はフレーム１５０に調整部材を配置可能に構成することにより、スキャンユニット５のフレーム１５０への取り付け姿勢を微調整することが可能になる。また、調整部材が配置される部位に調整部材が係合可能な被係合部を形成することにより、調整部材を被係合部に係合させてスキャンユニット５又はフレーム１５０に保持させた状態にすることが可能になる。これにより、スキャンユニット５を、フレーム１５０に対する姿勢を容易に微調整して取り付けることができ、感光体ドラム２に適正な潜像を形成して記録紙Ｐに適正に画像を形成することが可能になる。
【図面の簡単な説明】
【００３０】
【図１】本発明の一実施形態に係る画像形成装置の一例を示す側面図。
【図２】同上装置のスキャンユニットを示す斜視図。
【図３】同上スキャンユニットのフレームとの締結部の構成を説明する斜視図。
【図４】（ａ）は同上装置のフレームに取り付けられた状態のスキャンユニットの締結部を上方から見た斜視図、（ｂ）は同締結部を下方から見た斜視図。
【図５】（ａ）は同上スキャンユニットの座金及びスペーサが取り付けられた状態の締結部を示す断面図、（ｂ）は同締結部を示す斜視図。
【符号の説明】
【００３１】
１  画像形成装置
２  感光体ドラム
４  帯電器（帯電手段）
５  スキャンユニット
５ａ  光源
５ｂ  ポリゴンミラー
５ｄ  ミラー部材
６  現像装置
７  転写ローラ
８  定着ローラ
１０  画像形成部
２０  記録紙搬送機構
５０  ユニットハウジング
５１  照射部
５５  締結部
５５ａ  （ユニットハウジングの）長穴
５５ｂ  保持孔（被係合部）
５６  座金（調整部材）
５６ａ  当接部
５６ｂ  （座金の）長穴
５６ｃ  支持爪
５６ｄ  抜け止め突起
５７  スペーサ（調整部材）
５７ｂ  （スペーサの）長穴
５７ｃ  係合部（位置決め部）
５７ｄ  切り欠き
６０  ねじ
１００  筐体
１１０  給紙カセット（給紙トレイ）
１５０  フレーム
Ａ  主走査方向
Ｌ  レーザビーム
Ｐ  記録紙
【図１】
2007286275.tif 000003
【図２】
2007286275.tif 000004
【図３】
2007286275.tif 000005
【図４】
2007286275.tif 000006
【図５】
2007286275.tif 000007